(57)【要約】【課題】情報通信量を抑制しつつ情報端末の動作に関する設定情報を自動的に変更することができる設定管理システム等を提供する。【解決手段】情報端末１１に動作させるべき動作に関する設定情報及び、情報端末１１に動作させるべき動作に関する設定情報の更新情報を管理する動作設定管理手段４７と、情報端末１１からの設定情報の更新情報を受信する更新情報受信手段３７と、情報端末１１からの設定情報の更新情報が、自らが管理する情報端末１１に動作させるべき動作に関する設定情報の更新情報よりも古い場合に、情報端末１１に対して、情報端末１１に動作させるべき動作に関する設定情報を送信する設定情報送信手段５６とを備える。【選択図】        図９
2005018134.tif 000002
【特許請求の範囲】
【請求項１】
動作に関する設定情報に従って動作する情報端末と、前記情報端末の動作設定を管理する設定管理サーバとを備える設定管理システムであって、
前記情報端末は、
前記動作に関する設定情報及び前記設定情報が更新された際の更新情報を管理する設定情報管理手段と、
前記設定情報の更新情報を発信する更新情報発信手段と、
前記動作に関する設定情報を受信する動作設定受信手段と、
前記動作に関する設定情報に従って動作を制御する制御手段とを備え、
前記設定管理サーバは、
前記情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
を備えることを特徴とする設定管理システム。
【請求項２】
前記更新情報発信手段は、前記設定情報の更新情報と共に、前記情報端末の位置情報も発信する構成としたことを特徴とする請求項１に記載の設定管理システム。
【請求項３】
前記情報端末に動作させるべき設定が複数存在し、
前記設定情報送信手段は、前記情報端末に動作させるべき複数の動作設定うちのいずれか又はこれらいずれかの組み合わせに関する設定情報を、前記情報端末に対して送信する構成であることを特徴とする請求項１又は請求項２のいずれかに記載の設定管理システム。
【請求項４】
前記情報端末の動作設定を固定する場合には、前記設定管理サーバにおける前記情報端末に動作させるべき動作に関する設定情報の更新情報を、前記情報端末の動作に関する設定情報の更新情報よりも古く設定する構成としたことを特徴とする請求項１ないし請求項３のいずれかに記載の設定管理システム。
【請求項５】
前記情報端末に動作させるべき動作に関する設定情報は、前記情報端末が発揮する少なくとも１つの機能を有効とするか無効とするかを設定するための情報であることを特徴とする請求項１ないし請求項４のいずれかに記載の設定管理システム。
【請求項６】
動作に関する設定情報及び前記設定情報の更新情報を管理する設定情報管理手段と、
前記設定情報の更新情報を発信する更新情報発信手段と、
前記動作に関する設定情報を受信する動作設定受信手段と、
前記動作に関する設定情報に従って動作を制御する制御手段と
を備えることを特徴とする情報端末。
【請求項７】
情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
を備えることを特徴とする設定管理サーバ。
【請求項８】
動作に関する設定情報に従って動作する情報端末の動作設定を設定管理サーバが管理する設定管理方法であって、
前記動作に関する設定情報及び前記設定情報が更新された際の更新情報を管理する前記情報端末が、前記設定情報の更新情報を発信する更新情報発信ステップと、
前記情報端末に動作させるべき動作に関する設定情報及び前記情報端末に動作させるべき動作に関する設定情報の更新情報を管理する前記設定管理サーバが、前記情報端末からの前記設定情報の更新情報を受信する更新情報受信ステップと、
前記情報端末からの前記設定情報の更新情報が、自らが管理する前記情報端末に動作させるべき動作に関する設定情報の更新情報よりも古い場合に、前記設定管理サーバが、前記情報端末に対して、前記情報端末に動作させるべき動作に関する設定情報を送信する設定情報送信ステップと、
前記設定管理サーバが送信した前記情報端末に動作させるべき動作に関する設定情報を受信する動作設定受信ステップと、
受信した前記動作に関する設定情報に従って、前記情報端末の動作を制御する制御ステップと
を有することを特徴とする設定管理方法。
【請求項９】
動作に関する設定情報に従って動作する情報端末の動作設定管理を行う、情報端末の動作設定機能を発揮させるプログラムであって、
前記情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
して機能させることを特徴とする、情報端末の動作設定機能を発揮させるプログラム。
【請求項１０】
動作に関する設定情報に従って動作する情報端末の動作設定を管理する、設定管理サーバの設定管理機能を発揮させるプログラムであって、
前記情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
して機能させることを特徴とする、設定管理サーバの設定管理機能を発揮させるプログラム。
【請求項１１】
動作に関する設定情報に従って動作する情報端末の動作設定管理を行う、情報端末の動作設定機能を発揮させるプログラムを記録したコンピュータ読み取り可能な情報記録媒体であって、
前記情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
して情報端末の動作設定機能を発揮させるプログラムを記録したことを特徴とする、コンピュータ読み取り可能な情報記録媒体。
【請求項１２】
動作に関する設定情報に従って動作する情報端末の動作設定を管理する、設定管理サーバの設定管理機能を発揮させるプログラムを記録したコンピュータ読み取り可能な情報記録媒体であって、
前記情報端末に動作させるべき動作に関する設定情報及び、前記情報端末に動作させるべき動作に関する設定情報が更新された際の更新情報を管理する動作設定管理手段と、
前記情報端末からの前記設定情報の更新情報を受信する更新情報受信手段と、
前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段と
して設定管理サーバの設定管理機能を発揮させるプログラムを記録したことを特徴とする、コンピュータ読み取り可能な情報記録媒体。
【発明の詳細な説明】
【０００１】
【発明の属する技術分野】
本発明は、動作に関する設定情報に従って動作する情報端末及び、この情報端末の動作設定を管理する設定管理サーバを備える設定管理システム、設定管理サーバ、情報端末、設定管理方法、情報端末の動作設定機能を発揮させるプログラム、設定管理サーバの設定管理機能を発揮させるプログラム、情報端末の動作設定機能を発揮させるプログラムを記録したコンピュータ読み取り可能な情報記録媒体及び、設定管理サーバの設定管理機能を発揮させるプログラムを記録したコンピュータ読み取り可能な情報記録媒体に関するものである。
【０００２】
【従来の技術】
従来の移動局間の無線通信システムでは、無線装置の機能或いは動作モードについて、基地局と移動局との無線通信を用いて、そのパラメータを変更している。具体的には、まず、この移動局間の無線通信システムでは、いくつかの基地局から全ての移動局に対して、無線信号により、所定の指令信号を発信する。この所定の指令信号は、移動局に関する全ての動作パラメータを含んでいる。そして、この移動局間の無線通信システムでは、基地局、移動局間の無線通信システムに関係する全ての移動局に搭載された無線装置の所定の機能や動作モード決定用のパラメータの書き換えを行っている（例えば特許文献１参照）。
【０００３】
このような構成とすると、基地局、移動局間の無線通信システムにおいて、各移動局に搭載されている無線装置の機能、動作モード決定用のパラメータを変更することを、簡単且つ容易に行え、しかも操作に要する時間を短縮できる能率的な、パラメータの書き換え方法を提供することができる。
【０００４】
【特許文献１】
特開平６−２０４９３１号公報
【０００５】
【発明が解決しようとする課題】
しかしながら、従来の移動局間の無線通信システムでは、全ての移動局に対してパラメータを送信しているため、パラメータの量に応じてデータ送信量が増加してしまう問題点があった。またこれに伴い、データ通信に応じた課金がされる場合においては、パラメータの量に対応してデータ通信量に応じた通信コストがかかってしまうという問題点もあった。
【０００６】
そこで、本発明の目的は、上記課題を解消して、情報通信量を抑制しつつ情報端末の動作に関する設定情報を自動的に変更することができる設定管理システム、設定管理サーバ、情報端末、設定管理方法、情報端末の動作設定機能を発揮させるプログラム、設定管理サーバの設定管理機能を発揮させるプログラム、情報端末の動作設定機能を発揮させるプログラムを記録したコンピュータ読み取り可能な情報記録媒体及び、設定管理サーバの設定管理機能を発揮させるプログラムを記録したコンピュータ読み取り可能な情報記録媒体を提供することである。
【０００７】
【課題を解決するための手段】
上述の目的は、第１の発明によれば、動作に関する設定情報に従って動作する情報端末と、前記情報端末の動作設定を管理する設定管理サーバとを備える設定管理システムであって、前記情報端末は、前記動作に関する設定情報及び前記設定情報が更新された際の更新情報を管理する設定情報管理手段と、前記設定情報の更新情報を発信する更新情報発信手段と、前記動作に関する設定情報を受信する動作設定受信手段と、前記動作に関する設定情報に従って動作を制御する制御手段とを備え、前記設定管理サーバは、前記情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段とを備えることを特徴とする設定管理システムにより、達成される。
【０００８】
上記構成によれば、情報端末は、その動作に関する設定情報及びその設定情報の更新情報を管理しており、この設定情報の更新情報を発信する。設定管理サーバは、この情報端末に動作させるべき動作に関する設定情報及びこの情報端末に動作させるべき動作に関する設定情報の更新情報を管理しており、この情報端末からの設定情報の更新情報を受信する。そして、設定管理サーバは、この情報端末からの設定情報の更新情報が、この情報端末に動作させるべき動作に関する設定情報の更新情報よりも古いと判断すると、この情報端末に対して、情報端末に動作させるべき動作に関する設定情報を送信する。情報端末は、設定管理サーバが送信した動作に関する設定情報を受信し、受信した動作に関する設定情報に従って動作が制御される。
従って、設定管理サーバは、情報端末の動作設定を変更しようとした際に、情報端末に動作させるべき設定情報を全て送信しなくても良い場合があることから、その分の情報通信量を抑制しつつ動作設定を更新すべき情報端末の動作に関する設定情報を自動的に変更することができる。
【０００９】
第２の発明は、第１の発明の構成において、前記更新情報発信手段は、前記設定情報の更新情報と共に、前記情報端末の位置情報も発信する構成としたことを特徴とする。
上記構成によれば、情報端末の動作に関する設定情報により情報端末の動作を管理することができるばかりでなく、情報端末の位置情報に応じた情報端末の動作を管理することができる。
【００１０】
第３の発明は、第１の発明又は第２の発明のいずれかの構成において、前記情報端末に動作させるべき設定が複数存在し、前記設定情報送信手段は、前記情報端末に動作させるべき複数の動作設定うちのいずれか又はこれらいずれかの組み合わせに関する設定情報を、前記情報端末に対して送信する構成であることを特徴とする。
上記構成によれば、設定管理サーバは、情報端末の動作を部分的にも設定を変更することができる。
【００１１】
第４の発明は、第１の発明ないし第３の発明のいずれかの構成において、前記情報端末の動作設定を固定する場合には、前記設定管理サーバにおける前記情報端末に動作させるべき動作に関する設定情報の更新情報を、前記情報端末の動作に関する設定情報の更新情報よりも古く設定する構成としたことを特徴とする。
上記構成によれば、設定管理サーバにおける情報端末に動作させるべき動作に関する設定情報の更新情報が、前記情報端末の動作に関する設定情報の更新情報よりも古いので、設定管理サーバの設定情報送信手段が、情報端末に対して、情報端末に動作させるべき動作に関する設定情報を送信しないようにすることができる。
【００１２】
第５の発明は、第１の発明ないし第４の発明のいずれかの構成において、前記情報端末に動作させるべき動作に関する設定情報は、前記情報端末が発揮する少なくとも１つの機能を有効とするか無効とするかを設定するための情報であることを特徴とする。
上記構成によれば、設定管理サーバの制御によって、情報端末が発揮する少なくとも１つの機能を有効としたり無効とすることができるため、情報端末は、無駄な機能を外し、必要な機能のみを発揮することができる。
【００１３】
上述の目的は、第６の発明によれば、動作に関する設定情報及び前記設定情報の更新情報を管理する設定情報管理手段と、前記設定情報の更新情報を発信する更新情報発信手段と、前記動作に関する設定情報を受信する動作設定受信手段と、前記動作に関する設定情報に従って動作を制御する制御手段とを備えることを特徴とする情報端末により、達成される。
【００１４】
上記構成によれば、情報端末は、その動作に関する設定情報及びその設定情報の更新情報を管理しており、この設定情報の更新情報を発信する。そして、この情報端末は、動作に関する設定情報を受信し、受信した動作に関する設定情報に従って動作することができる。
【００１５】
上述の目的は、第７の発明によれば、情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段とを備えることを特徴とする設定管理サーバにより、達成される。
【００１６】
上記構成によれば、設定管理サーバは、この情報端末に動作させるべき動作に関する設定情報及びこの情報端末に動作させるべき動作に関する設定情報の更新情報を管理しており、この情報端末からの設定情報の更新情報を受信する。そして、設定管理サーバは、この情報端末からの設定情報の更新情報が、この情報端末に動作させるべき動作に関する設定情報の更新情報よりも古いと判断すると、この情報端末に対して、情報端末に動作させるべき動作に関する設定情報を送信する。情報端末は、設定管理サーバが送信した動作に関する設定情報を受信する。この情報端末は、受信した動作に関する設定情報に従って動作する。従って、設定管理サーバは、情報端末の動作設定を変更しようとした際に、情報端末に動作させるべき設定情報を全て送信しなくても良い場合があることから、その分の情報通信量を抑制しつつ情報端末の動作に関する設定情報を自動的に変更することができる。
【００１７】
上述の目的は、第８の発明によれば、動作に関する設定情報に従って動作する情報端末の動作設定を設定管理サーバが管理する設定管理方法であって、前記動作に関する設定情報及び前記設定情報が更新された際の更新情報を管理する前記情報端末が、前記設定情報の更新情報を発信する更新情報発信ステップと、前記情報端末に動作させるべき動作に関する設定情報及び前記情報端末に動作させるべき動作に関する設定情報の更新情報を管理する前記設定管理サーバが、前記情報端末からの前記設定情報の更新情報を受信する更新情報受信ステップと、
前記情報端末からの前記設定情報の更新情報が、自らが管理する前記情報端末に動作させるべき動作に関する設定情報の更新情報よりも古い場合に、前記設定管理サーバが、前記情報端末に対して、前記情報端末に動作させるべき動作に関する設定情報を送信する設定情報送信ステップと、前記設定管理サーバが送信した前記情報端末に動作させるべき動作に関する設定情報を受信する動作設定受信ステップと、受信した前記動作に関する設定情報に従って、前記情報端末の動作を制御する制御ステップとを有することを特徴とする設定管理方法により、達成される。
【００１８】
上述の目的は、第９の発明によれば、動作に関する設定情報に従って動作する情報端末の動作設定管理を行う、情報端末の動作設定機能を発揮させるプログラムであって、前記情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段として機能させることを特徴とする、情報端末の動作設定機能を発揮させるプログラムにより、達成される。
【００１９】
上述の目的は、第１０の発明によれば、動作に関する設定情報に従って動作する情報端末の動作設定を管理する、設定管理サーバの設定管理機能を発揮させるプログラムであって、前記情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段として機能させることを特徴とする、設定管理サーバの設定管理機能を発揮させるプログラムにより、達成される。
【００２０】
上述の目的は、第１１の発明によれば、動作に関する設定情報に従って動作する情報端末の動作設定管理を行う、情報端末の動作設定機能を発揮させるプログラムを記録したコンピュータ読み取り可能な情報記録媒体であって、前記情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段として情報端末の動作設定機能を発揮させるプログラムを記録したことを特徴とする、コンピュータ読み取り可能な情報記録媒体により、達成される。
【００２１】
上述の目的は、第１２の発明によれば、動作に関する設定情報に従って動作する情報端末の動作設定を管理する、設定管理サーバの設定管理機能を発揮させるプログラムを記録したコンピュータ読み取り可能な情報記録媒体であって、前記情報端末に動作させるべき動作に関する設定情報及び、前記情報端末に動作させるべき動作に関する設定情報が更新された際の更新情報を管理する動作設定管理手段と、前記情報端末からの前記設定情報の更新情報を受信する更新情報受信手段と、前記情報端末からの前記設定情報の更新情報が、自らが管理する前記情報端末に動作させるべき動作に関する設定情報の更新情報よりも古い場合に、前記情報端末に対して、前記情報端末に動作させるべき動作に関する設定情報を送信する設定情報送信手段として設定管理サーバの設定管理機能を発揮させるプログラムを記録したことを特徴とする、コンピュータ読み取り可能な情報記録媒体により、達成される。
【００２２】
【発明の実施の形態】
以下、本発明の好適な実施の形態を図面に基づいて説明する。
図１は、本発明の好ましい実施形態としての設定管理システム１の構成例を示すシステム構成図である。
設定管理システム１は、センター２、ネットワーク７、基地局８及び情報端末１１を備えている。
情報端末１１は、例えば操作者が携帯する移動可能な端末装置である。この情報端末１１は、携帯型電話装置やＰＤＡ（Ｐｅｒｓｏｎａｌ  Ｄｉｇｉｔａｌ  Ａｓｓｉｓｔａｎｔ）のような情報端末であってもよい。この情報端末１１は、設定管理システム１において少なくとも１台設けられており、基地局８との間でデータ通信を行う機能を有する。
【００２３】
情報端末１１は、例えばＧＰＳ（Ｇｌｏｂａｌ  Ｐｏｓｉｔｉｏｎｉｎｇ  Ｓｙｓｔｅｍ）を用いて衛星３が出力する衛星電波を受信し、受信した衛星電波を解析して衛星電波に含まれる航法メッセージを取得する構成であっても良い。つまり、この情報端末１１は、例えば取得された航法メッセージに基づいて現在地を取得する構成であっても良い。この情報端末１１は、例えば移動可能な端末装置であり、動作に関する設定情報に従って動作を行う機能を有する。この動作に関する設定情報は変更可能であり、情報端末１１は、変更された動作に関する設定情報に従って動作が制御される構成となっている。
【００２４】
基地局８は、例えば複数の情報端末１１との間でデータ通信を行う機能を有する。この基地局８は、例えば無線通信によって情報端末１１との間でデータ通信を行っている。また、基地局８は、ネットワーク７に接続されており、ネットワーク７との間でデータ通信を行うことができる構成となっている。ネットワーク７は、例えばイントラネット或いはインターネットといった伝送媒体である。
【００２５】
一方、センター２は、情報端末１１を管理或いは監視する側である。このセンター２は、設定管理サーバ５及び端末監視コンピュータ６が含まれている。これら設定管理サーバ５及び端末監視コンピュータ６は、それぞれネットワーク７に接続されている。尚、端末監視コンピュータ６は、ネットワーク７に直接接続されている代わりに、センター２内で閉じられたネットワークによって設定管理サーバ５に接続されている構成であってもよいことはいうまでもない。
【００２６】
端末監視コンピュータ６は、情報端末１１の位置等を監視する機能を有するコンピュータである。また、設定管理サーバ５は、情報端末１１に動作させるべき設定に関する設定情報及び、情報端末１１に動作させるべき動作に関する設定情報の更新情報を管理する機能を有する。この更新情報としては、例えば上述した情報端末１１に動作させるべき動作に関する設定情報が更新された際の更新日時である。上述した情報端末１１においては、上記動作に関する設定情報以外にも、その設定情報の更新情報を管理する構成となっている。
【００２７】
この設定管理サーバ５は、情報端末１１に動作させるべき動作に関する設計情報及び、情報端末１１に動作させるべき動作に関する設定情報の更新情報を管理している。情報端末１１は、自ら管理している動作に関する設定情報の更新情報を、基地局８及びネットワーク７を経由してセンターに対して送信する機能を有する。
【００２８】
設定管理サーバ５では、情報端末１１からの更新情報を受信し、受信した更新情報が、自らが管理する情報端末１１に動作させるべき動作に関する設定情報の更新情報よりも古いか否かを判断する。設定管理サーバ５は、情報端末からの更新情報が古い場合には、自らが管理する情報端末１１に動作させるべき動作に関する設定情報を、例えばネットワーク７及び基地局８を経由して情報端末１１に対して送信する機能を有する。
【００２９】
情報端末１１は、設定管理サーバ５から受信した設定情報に従って動作する構成となっている。従って、設定管理サーバ５は、所望の設定情報に従って情報端末１１を動作させることができる。一方、情報端末１１側における動作に関する設定情報が設定管理サーバ５側で管理する最新の設定情報である場合には、設定管理サーバ５から情報端末１１に対してデータ通信を行わない構成となっている。従って、情報端末１１と設定管理サーバ５との間では、最小限のデータ通信量によりデータ通信を行うことができる。
【００３０】
また、設定管理サーバ５は、全ての情報端末１１に対して動作に関する設定情報を送信する代わりに、設定情報の更新情報を送信してきた特定の情報端末１１に対してのみ動作させるべき動作に関する設定情報を送信する構成となっている。このような設定管理システム１では、ネットワーク７や基地局８におけるデータ通信に関する負荷を減らすことができる。このように設定管理サーバ５は、情報端末１１の動作設定を変更する際に、情報端末１１に動作させるべき設定情報を全て送信しなくてもよい場合があることから、その分の情報通信量を抑制しつつ情報端末１１の動作に関する設定情報を自動的に変更することができる。
【００３１】
また、この設定管理システム１においては、情報端末１１に動作させるべき設定が複数用意されており、設定管理サーバ５が、情報端末１１に動作させるべき複数の動作設定のうちのいずれか又はこれらいずれかの組み合わせに関する設定情報を、情報端末１１に対して送信する構成であってもよい。このような構成とすると、設定管理サーバ５は、情報端末１１の動作を部分的に設定変更することができるようになる。
【００３２】
また、情報端末１１は、センター２に対して動作に関する設定情報の更新情報のみならず、これと共に情報端末１１の位置情報も発信する構成であってもよい。このような構成とすると、センター２は、情報端末１１の動作に関する設定情報により情報端末の動作を管理することができるばかりでなく、情報端末１１の位置に応じた情報端末１１の動作を管理することができるようになる。
【００３３】
図２は、図１に示す情報端末１１の外観の一例を示す斜視図である。
情報端末１１は、図示のようにその表面１１ｘの中央部やや上部１１ｙ側よりに表示部１１ｇを備え、下部１１ｚに第１ボタン１１ｊ、第２ボタン１１ｋ及び音出力部１１ｏを備え、上部１１ｙにおいてアンテナ１１ｐ、第１発光部１１ｍ及び第２発光部１１ｎが設けられている。
【００３４】
この情報端末１１において特徴的なことは、第１のボタン１１ｊ、第２のボタン１１ｋ、音出力部１１ｏ、第１発光部１１ｍ及び第２発光部１１ｎの機能が、それぞれ上述した動作に関する設定情報に従って機能が異なるように設定変更をすることができることである。つまり、この情報端末１１は、例えば第１ボタン１１ｊの機能が設定された設定情報に応じて異なる機能を発揮するようになる。このようにするには、上記情報端末１１に動作させるべきどうかに関する設定情報が、例えば情報端末１１が発揮する少なくとも１つの機能を有効とするか無効とするかを設定するための情報であることが必要である。
【００３５】
本実施形態において情報端末１１は、例えば以下のような動作に関する設定がなされているものと仮定する。
例えば第１ボタン１１ｊは情報端末１１の電源をオン／オフする際に押されるボタンの機能を発揮し、第２のボタン１１ｋは、情報端末１１の位置を測位して登録する際に押されるボタンの機能を発揮し、音出力部１１ｏはブザーを出力する機能を発揮するものとする。また、例えば第１発光部１１ｍは、情報端末１１において電源がオンの状態において発光しオフの状態において消灯する機能を発揮するものとする。
【００３６】
また、例えば第２発光部１１ｎは、情報端末１１がアンテナ１１ｐを用いてデータ通信を行っている際に発光し、データ通信を行っていない場合に消灯する機能を発揮するものとする。このような第１のボタン１１ｊ等の機能は、それぞれ情報端末１１で管理する動作に関する設定情報に従って異なるように、設定することができる。つまり、情報端末１１は、動作に関する設定情報が変更されることで、変更前とは異なる動作を行ったり異なる機能を発揮することができる。
【００３７】
図３は、図１に示す情報端末１１のハードウェア構成例を示すブロック図である。
移動端末１１は、ＣＰＵ１１ａ、ＲＡＭ１１ｂ、ＲＯＭ１１ｃ、操作部１１ｄ、無線部１１ｉ、表示部１１ｇ及び衛星電波受信部１１ｈを備えている。無線部１１ｉは、アンテナ１１ｐを備える通信制御部１１ｅ及びＲＦ制御部１１ｆを備えている。
【００３８】
ＣＰＵ１１ａは、中央演算処理部であり、ＲＡＭ１１ｂを作業領域として、後述する情報端末１１の動作設定機能を発揮させるプログラム９９ａを動作させたり、バス１１ｉに接続されたＲＯＭ１１ｃ等を制御している。このＲＯＭ１１ｃは、読み出し専用の情報記録媒体であり、書き換え可能な不揮発性メモリであるフラッシュＲＯＭも含んでいても良い。
【００３９】
ＲＡＭ１１ｂは、上記プログラム９９ａを実行するための作業領域を確保可能なメモリである。操作部１１ｄは、表示部１１ｇの画面に表示されたボタン等のオブジェクトを操作するためのボタンやタブレット等の操作手段である。この操作部１１ｄは、上述した図２に示す第１ボタン１１ｊ、第２ボタン１１ｋ、音声出力部１１ｏ、第１発光部１１ｍ及び第２発光部１１ｎを含んでいる。図３の表示部１１ｇは、文字や図形を表示する機能を有する表示手段であり、例えばＬＣＤ（Ｌｉｑｕｉｄ  Ｃｒｙｓｔａｌ  Ｄｉｓｐｌａｙ）やＥＬ（Ｅｌｅｃｔｒｏ
Ｌｕｍｉｎｅｓｃｅｎｃｅ）素子を用いた表示装置である。
【００４０】
通信制御部１１ｅは、例えば無線（或いは有線）によってネットワークを経由して基地局やコンピュータ等との間で通信を行う際にデータ通信に関する制御を行う機能を有する。ＲＦ（Ｒａｄｉｏ  Ｆｒｅｑｕｅｎｃｙ）制御部１１ｆは、高周波信号を処理する機能を有し、例えば携帯電話やＧＰＳアンテナから入った信号の処理を行う。衛星電波受信部１１ｈは、例えば図１に示す衛星３からの衛星電波（ＧＰＳ信号）を受信する制御機能を有し、この衛星電波に基づいて現在地を把握することができる。ここで、現在地等の位置情報は、例えば緯度、経度及び高さを含んでいる。
【００４１】
この情報端末１１は、例えば動作中にログ（履歴）を取得する機能を有し、ログを取得する間隔を設定可能な構成であってもよい。また、この情報端末１１は、例えば情報端末１１に関する情報を上記設定管理サーバ５に登録する機能を有し、登録する間隔を設定可能な構成であっても良い。また、この登録は、例えば電源がオンされたときに行われるようにしてもよい。情報端末１１は、このような登録を行うか否かについても設定できる構成であっても良い。
【００４２】
この情報端末１１のＲＡＭ１１ｂにおいては、後述する情報端末１１の動作設定機能を発揮させるプログラム９９ａが動作している。この情報端末１１は、このプログラム９９ａの制御に従って動作する構成となっている。このプログラム９９ａは、詳細は後述するが、例えば上記動作に関する設定情報及びその設定情報が更新された際の更新情報を管理する設定情報管理手段、その設定情報の更新情報を発信する更新情報発信手段と、外部から動作に関する設定情報を受信する動作設定受信手段と、動作に関する設定情報に従って動作を制御する制御手段として機能させることができる。
【００４３】
図４に示す設定管理サーバ５のハードウェア構成の一例を示すブロック図である。尚、図１に示す端末監視コンピュータ６は、処理速度や情報格納量及び後述する設定管理サーバ５の設定管理機能を発揮させるプログラムが動作していない点を除いて設定管理サーバ５とほぼ同様の構成であるので、説明を省略する。
【００４４】
図４に示す設定管理サーバ５は、ＣＰＵ（Ｃｅｎｔｒａｌ  Ｐｒｏｃｅｓｓｉｎｇ  Ｕｎｉｔ）６３、ハードディスク６１、ＲＯＭ（Ｒｅａｄ  Ｏｎｌｙ  Ｍｅｍｏｒｙ）６４、ＲＡＭ（Ｒａｎｄｏｍ  Ａｃｃｅｓｓ  Ｍｅｍｏｒｙ）６５及びバス５５を有し、好ましくは表示部６０及び操作部６２を有する。
【００４５】
バス５５は、例えばアドレスバスやデータバスを有するバス線であり、ＣＰＵ６３、ＲＯＭ６４、ＲＡＭ６５及びハードディスク６１が接続されており、好ましくは表示部６０及び操作部６２が接続されている。ハードディスク６１は、設定管理サーバ５の設定管理機能を発揮させるプログラム９９やデータを格納可能な磁気ディスク装置等の大容量の情報記憶媒体である。
【００４６】
ＣＰＵ６３は、中央演算処理部であり、例えばハードディスク６１から上記プログラム９９を読み出して、ＲＡＭ６５を作業領域として、上記プログラム９９を動作させる機能を有する。つまり、ＲＡＭ６５は、上記プログラム９９を実行するための作業領域や一時的にデータを格納するための揮発性メモリである。ＲＯＭ６４は、読み出し専用のメモリであり、例えばＢＩＯＳ（Ｂａｓｉｃ  Ｉｎｐｕｔ  Ｏｕｔｐｕｔ  Ｓｙｓｔｅｍ）を格納している。尚、このＲＯＭ６４は、例えば書き換え可能な不揮発性メモリであっても良い。
【００４７】
表示部６０は、文字や図形を表示する機能を有する表示手段であり、例えばＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）素子を用いた表示装置である。操作部６２は、表示部６０に表示されたオブジェクトを操作するためのマウス、タブレット、キーボード等の操作手段である。
【００４８】
上述したプログラム９９は、詳細は後述するが、情報端末１１に動作させるべき動作に関する設定情報及び、情報端末１１に動作させるべき動作に関する設定情報を更新した際の更新情報を管理する動作設定設定管理手段と、情報端末１１からの設定情報の更新情報を受信する更新情報受信手段と、情報端末１１からの設定情報の更新情報が、自らが管理する情報端末１１に動作させるべき動作に関する設定情報の更新情報よりも古い場合に、情報端末１１に対して、情報端末１１に動作させるべき動作に関する設定情報を更新する設定管理手段として機能させることができる。
【００４９】
図５は、図１に示す情報端末１１において動作するソフトウェアの構成例を示すブロック図であり、図６は、図５に示す各テーブルの構成例を示す図である。図５の情報端末１１では、通信部３１、受信データ処理部３２、動作設定変更処理部３３、操作設定テーブル３８ａ、登録設定テーブル３８ｂ、間隔設定テーブル３８ｃ、端末動作制御部３５、更新日時取得部３４、検知部３６及び送信データ作成部３７が動作している。
【００５０】
通信部３１は、移動端末１１の外部とデータ通信を行う機能を有する。この通信部３１は、例えば図１に示す基地局８及びネットワーク７を経由して、設定管理サーバ５からセンター送信データ２ａを受信する機能を有する。このセンター送信データ２ａの詳細については後述する。受信データ処理部３２は、受信したセンター送信データ２ａを各端末ＩＤや動作設定ごとに分割する機能を有する。動作設定変更処理部３３は、受信データ処理部３２によって分離された各動作設定を操作設定テーブル３８ａ、登録設定テーブル３８ｂ、間隔設定テーブル３８ｃのいずれか又はこれらいずれかの組合せのテーブルに対して登録する機能を有する。
【００５１】
操作設定テーブル３８ａは、情報端末１１の動作に関する動作の一例としての操作に関する設定を管理するテーブルである。この操作設定テーブル３８ａは、図６（Ａ）に示すように設定ＩＤ（ＩＤｅｎｔｉｆｉｃａｔｉｏｎ）ごとに、第１ボタンの設定、第２ボタンの設定、第１発光部の設定、第２発光部の設定、音出力部の設定及び操作設定変更日時（更新情報）を管理している。
【００５２】
設定ＩＤは、情報端末１１の動作に関する設定を特定するユニークなキーを表わしている。第１ボタンの設定は、第１ボタンが有効であるか無効であるかを表わしている。ここで有効とは、設定されて機能が有効に作用することを表し、無効とは、機能が設定されておらず作用しないことを表す。第２ボタンの設定は、第２ボタンの設定が有効であるか無効であるかを表している。第１発光部の設定は、第１発光部が有効であるか無効であるかを表している。第２発光部の設定は、第２発光部が有効であるか無効であるかを表している。音出力部の設定は、音出力部が有効であるか無効であるかを表している。そして、本実施形態において特徴的な更新情報の一例としての操作設定変更日時は、例えば操作設定を変更した日時を表している。
【００５３】
図５に示す登録設定テーブル３８ｂは、情報端末１１に関する情報を上記設定管理サーバ５に登録するか否かを設定するためのテーブルである。この登録設定テーブル３８ｂは、図６（Ｂ）に示すように上記設定ＩＤ毎に、電源オン登録の設定やログ登録の設定を管理することができるようになっている。ここで、電源オン登録の設定とは、例えば情報端末１１の電源がオンされた場合に設定管理サーバ５に対して情報端末１１の位置登録を行うか否かに関する設定である。ログ登録の設定とは、情報端末１１において取得している、例えばログ（履歴情報）が予め設定されたデータ量以上となった場合に設定管理サーバ５に登録を行うか否かに関する設定である。また、この登録設定テーブル３８ｂでは、設定ＩＤごとに登録設定及びその更新情報の一例としての登録設定変更日時が登録される構成となっている。
【００５４】
図５に示す間隔設定テーブル３８ｃは、情報端末１１において取得しているログの取得間隔や、設定管理サーバ５に対する登録間隔を管理するテーブルである。この間隔設定テーブル３８ｃは、図６（Ｃ）に示すように設定ＩＤごとにログ間隔の設定、登録間隔の設定を管理することができる構成となっている。ログ間隔の設定は、情報端末１１においてログを取得する時間的な間隔を表している。登録間隔の設定は、上記センターへの位置を登録する間隔に関する設定である。この間隔設定テーブル３８ｃは、設定ＩＤごとに登録されたデータに対して、更新情報の一例としての間隔設定変更日時が付加されている。この間隔設定変更日時とは、例えば間隔設定を変更した日時を表している。
【００５５】
図５に示す更新日時取得部３４は、操作設定テーブル３８ａ、登録設定テーブル３８ｂ、間隔設定テーブル３８ｃに登録されている情報端末１１の動作に関する設定情報の更新情報の一例としての更新日時を取得する機能を有する。この更新日時取得部３４は、各設定ごとの設定ＩＤに該当する図６（Ａ）、図６（Ｂ）或いは図６（Ｃ）に示す各変更日時を取得する機能を有する。つまり、図５の更新日時取得部３４は、操作設定テーブル３８ａ、登録設定テーブル３８ｂ、間隔設定テーブル３８ｃにおいて管理されている動作設定についての変更日時等の更新情報を取得する構成となっている。
【００５６】
端末動作制御部３５は、操作設定テーブル３８ａ、登録設定テーブル３８ｂ、間隔設定テーブル３８ｃに登録された動作設定に従って、情報端末１１を動作させる際の制御を行う機能を有する。検知部３６は、端末動作制御部３５の制御により、登録設定テーブル３８ｂに設定された動作設定に従って、例えば電源がオンされたことを検知したり、或いはデータ通信が発生したことを検知する機能を有する。検知部３６が検知した検知結果は送信データ作成部３７に引き渡される。
【００５７】
送信データ作成部３７は、更新日時取得部３４によって取得された更新情報を用いて、この更新情報を含む端末送信データ２ｂを作成する。この端末送信データ２ｂは、例えば図７に示すようなデータフレーム構成となっている。具体的には、端末送信データ２ｂは、図７に示すように端末ＩＤごとに、少なくとも例えば操作設定更新日時のような更新情報、登録設定更新日時のような更新情報及び、間隔設定更新日時のような更新情報を含んでいる。
【００５８】
また、端末送信データ２ｂは、これ以外の情報として、端末ＩＤごとに位置情報を含んでいてもよい。この位置情報としては、少なくとも緯度、経度及び測位時間を含んでおり、好ましくは高度を含んでいる。上記操作設定、登録設定及び間隔設定に関する設定情報に関する更新情報は、例えば左側８桁が西暦、月及び日にちを表しており、右側６桁が時刻を表している。例えば操作設定更新日時の更新情報は、例えば２００３年３月１０日の１２時１０分３０秒に更新されたことを表している。尚、位置情報に含まれる測位時間も、同様に例えば左側８桁が西暦、月及び日にちを表しており、右側６桁が時刻を表している。
【００５９】
図８は、図１に示すセンター２側における設定管理サーバ５のソフトウェア構成例を示すブロック図であり、図９は、図８に示す主として設定管理部４５及びデータベース４７の具体的なソフトウェア構成例を示すブロック図である。
設定管理サーバ５は、通信部４１、端末情報取得部４６、設定管理部４５及びデータベース４７が動作している。
【００６０】
通信部４１は、設定管理サーバ５の外部、例えば情報端末１１との間でデータ通信を行う機能を有する。通信部４１は、例えば情報端末１１が出力した端末送信データ２ｂを受信する機能を有する。端末情報取得部４６は、通信部４１によって受信された端末送信データ２ｂを取得し、設定管理部４５に引き渡す。設定管理４５は、引き渡された端末送信データ２ｂを解析し、端末送信データ２ｂに含まれる情報をデータベース４７に登録したり、データベース４７に登録した情報を取得する機能を有する。
【００６１】
図９に示す設定管理部４５は、位置情報処理部５１、位置情報登録部５２及び位置情報表示部６１並びに、設定部５９、受信データ処理部５３、更新情報比較部５４、データベース４７、設定更新日時記憶部５５、端末動作設定部５６、端末動作設定記憶部５７及び送信データ作成部５８を有する。一方、データベース４７は、操作設定テーブル４７ａ、登録設定テーブル４７ｂ、間隔設定テーブル４７ｃ、位置情報テーブル４７ｄ及び端末情報テーブル４７ｅを備えている。
【００６２】
受信データ処理部５３は、上述した端末送信データ２ｂを取得し、端末ＩＤごとに位置情報を、位置情報処理部５１に引き渡し、同じく端末ＩＤごとに例えば操作設定更新日時、登録設定更新日時及び間隔設定更新日時を、更新情報比較部５４に引き渡す。
【００６３】
位置情報処理部５１は、受け取った位置情報を解析し、位置情報登録部５２に引き渡す。位置情報登録部５２は、端末ＩＤごとに位置情報テーブル４７ｄに登録する機能を有する。つまり、位置情報テーブル４７ｄでは、上記情報端末１１の位置情報が管理されている。この位置情報テーブル４７ｄは、例えば図１０（Ｄ）に示すテーブル構成となっている。具体的には、位置情報テーブル４７ｄは、端末ＩＤごとに、少なくとも緯度、経度及び測位時間を管理し、好ましくは高度をも管理することができる構成となっている。ここで端末ＩＤとは、情報端末１１を特定するユニークなキーを表している。
【００６４】
図１０（Ａ）に示す操作設定テーブル４７ａ、図１０（Ｂ）に示す登録設定テーブル４７ｂ、図１０（Ｃ）に示す間隔設定テーブル４７ｃは、それぞれ図６（Ａ）に示す操作設定テーブル３８ａ、図６（Ｂ）に示す登録設定テーブル３８ｂ及び図６（Ｃ）に示す間隔設定テーブル３８ｃにおいて更新情報が付されていない点を除いてほぼ同様の構成である。尚、各テーブルの更新情報は、図１０（Ｅ）に示す端末情報テーブル４７ｅにおいて管理されている。
【００６５】
図１０（Ａ）〜（Ｃ）に示す各テーブルは、それぞれ情報端末１１に動作させるべき動作設定を表しており、図６（Ａ）〜図６（Ｃ）に示す各テーブルは、それぞれ情報端末１１が動作する際に参照する動作設定を表している。つまり、図１０（Ａ）〜図１０（Ｃ）に示す各テーブルの動作設定は、図１に示すセンター２側で情報端末１１に望む動作に関する動作設定を表している。
【００６６】
図１０（Ａ）に示す操作設定テーブル４７ａ、図１０（Ｂ）に示す登録設定テーブル４７ｂ及び、図１０（Ｃ）に示す間隔設定テーブル４７ｃでは、それぞれ情報端末１１が動作すべき具体的な動作設定が管理されている。また、図１０（Ｂ）に示す端末情報テーブル４７ｅでは、図１０（Ａ）等に具体的に設定された端末情報１１の設定が反映されるべき時間情報としての各変更日時が管理されている。
【００６７】
また、図９に示すデータベース４７の端末情報テーブル４７ｅは、図１に示す情報端末１１の動作に関する設定情報の更新情報を管理する機能を有する。端末情報テーブル４７ｅを具体的に示すと、図１０（Ｅ）に示すようなテーブル構成となっている。具体的には、端末情報テーブル４７ｅは、端末ＩＤごとに、操作設定ＩＤ、操作設定変更日時、登録設定ＩＤ、登録設定変更日時、間隔設定ＩＤ及び間隔設定変更日時を管理する構成となっている。この端末情報テーブル４７ｅは、好ましくは複数存在する設定についての更新情報を管理する構成となっている。
【００６８】
操作設定ＩＤは、操作設定ごとに付された識別子である。操作設定変更日時は、操作設定ＩＤに該当する操作設定の更新情報を表している。登録設定ＩＤは、登録設定ごとに付された識別子である。登録設定変更日時は、登録設定ＩＤに該当する登録設定の更新情報である。間隔設定ＩＤは、間隔設定℃とに付された識別子である。間隔設定変更日時は、間隔ＩＤに該当する間隔設定の更新情報を表している。
【００６９】
設定部５９は、データベース４７の操作設定テーブル４７ａ、登録設定テーブル４７ｂ、間隔設定テーブル４７ｃ及び端末情報テーブル４７ｅのいずれか又はこれらいずれかの組み合わせのテーブルの設定を新規登録、変更、削除等する機能を有する。具体的には、設定部５９は、操作設定ＩＤをキーとして操作設定テーブル４７ａに設定された操作設定を変更等することができる。また、設定部５９は、登録設定ＩＤをキーとして登録設定テーブル４７ｂに設定された登録設定を変更等することができる。また、設定部５９は、間隔設定ＩＤをキーとして間隔設定テーブル４７ｃの間隔設定を変更等することができる。また、設定部５９は、端末ＩＤをキーとして端末情報テーブル４７ｅで管理する端末情報を変更等することができる。
【００７０】
一方、図９に示す更新情報比較部５４は、情報端末１１から取得した更新情報を例えば設定更新日時記憶部５５に記憶する。そして、更新情報比較部５４は、設定更新日時記憶部５５に記憶された情報端末１１の設定更新日時情報と、データベース４７の端末情報テーブル４７ｅから取得された情報端末１１が動作すべき設定情報の更新情報としての設定変更日時と比較する。ここで、更新情報比較部５４は、各設定ＩＤごとにその設定変更日時を比較する構成としてもよい。このようにすると、更新情報比較部５４は、操作設定、登録設定及び／又は間隔設定ごとに、情報端末１１の設定更新日時を確認することができるようになる。
【００７１】
更新情報比較部５４は、情報端末１１の更新情報（設定更新日時情報）が、端末情報テーブル４７ｅから取得した更新情報よりも新しい場合には処理を中止し、情報端末１１から取得した更新情報が端末情報テーブル４７ｅから取得した更新情報よりも古い場合には端末操作設定部５６に指示を行う。端末操作設定部５６は、更新情報比較部５４の指示に基づいて、情報端末１１に動作させるべき動作に関する設定情報を、操作設定テーブル４７ａ、登録設定テーブル４７ｂ及び間隔設定テーブル４７ｃのいずれか又はこれらいずれかの組み合わせから取得する。
【００７２】
また、この端末動作設定部５６は、例えば取得されたこれら情報端末１１に動作させるべき動作に関する設定情報を、端末ＩＤごとに端末動作設定記憶部５７に一旦記憶する。そして、送信データ作成部５８は、端末動作設定部５６からの指示に基づいて、端末動作設定記憶部５７に記憶された例えば端末ＩＤごとの情報端末１１に動作させるべき動作に関する設定情報を取得する。また、送信データ作成部５８は、取得された情報端末１１に動作させるべき動作に関する設定情報に基づいて、センター送信データ２ａを作成する。このセンター送信データ２ａは、例えば図１１に示すようなフレーム構成となっている。
【００７３】
具体的には、センター送信データ２ａは、端末ＩＤごとに、端末設定、設定更新日時、設定内容を含んでいる。端末ＩＤは、各情報端末１１を識別するための識別子であり、端末設定は、情報端末１１において動作させるべき設定の種類を表している。また、設定更新日時（更新情報）は、端末設定の更新日時を表している。
【００７４】
設定内容は、例えば上述したように第１ボタン、第２ボタン、第１発光部、第２発光部、音出力部の順に有効（ＯＮ）であるか、或いは無効（ＯＦＦ）であるかを表している。この設定内容例では、例えばＯＮＯＮＯＮＯＮＯＦＦと設定されており、これは、第１ボタンが有効であり、第２ボタンが有効であり、第１発光部が有効であり、第２発光部が有効であり、音出力手段が無効と設定すべきことを表している。
【００７５】
つまり、情報端末１１に動作させるべき動作に関する設定情報は、情報端末１１が発揮する少なくとも１つの機能を有効とするか無効とするかを設定するための情報である。このような構成とすると、設定管理サーバ５の制御によって、情報端末１１が発揮する少なくとも１つの機能を有効としたり無効とすることができるため、情報端末１１は、無駄な機能を外し、必要な機能のみを発揮することができる。
【００７６】
図１に示す設定管理システム１は以上のような構成であり、次に図１〜図１１を参照しつつその設定管理方法の一例について説明する。
図１２は、本発明の好ましい実施形態としての設定管理方法の手順の一例を示すフローチャートである。
図１３〜図１７は、それぞれ図１に示す設定管理サーバ５に表示された画面例を示す図である。
【００７７】
以下の説明では、図２に示す情報端末１１が、設定変更前に第１ボタン１１ｊ、第２ボタン１１ｋ、第１発光部１１ｍ、第２発光部１１ｎ及び音出力部１１ｏが全て有効であった設定が、図１に示すセンター２側の制御により、図２に示す音声出力１１ｏのみが無効に設定変更されることを例示する。
＜設定変更前＞
まず、設定変更前においては、情報端末１１は、上述のように第１ボタン１１ｊ、第２ボタン１１ｋ、第１発光部１１ｍ、第２発光部１１ｎ及び音声出力１１ｏがそれぞれ有効な設定となっている。
【００７８】
具体的には、第１ボタン１１ｊは、電源ボタンの機能を発揮させ、第２ボタン１１ｋは、上記位置を登録する機能を発揮させ、第１発光部１１ｍは、電源がオンである間に発光する機能を発揮させ、第２発光部１１ｎは、データ通信中に発光する機能を発揮させ、音出力部１１ｏは、例えばブザー、音を出力するブザーとしての機能を発揮させるように設定されている。
【００７９】
＜設定変更手順＞
図１に示すセンター２側では、ある特定の情報端末１１の動作に関する設定情報を変更しようとしている。まず、設定管理サーバ５の表示部には、図１３に示すようなセンター側の端末登録画面が表示される。このセンター側の端末登録画面１２０は、その上部１１６に、新規登録選択部１１６ａ、端末ＩＤ選択部１１６ｂ、登録情報選択１１６ｃ、動作設定部１１６ｄ、監視選択部１１６ｅを含んでいる。また、表示領域１１８は、端末ＩＤ入力領域１２１、ユーザ名入力領域１２２、住所入力領域１２３、電話番号入力領域１２４、メールアドレス入力領域１２５を有し、さらに登録ボタン１２６及びキャンセルボタン１２７を備えている。
【００８０】
上記新規登録選択部１１６ａは、図１に示すセンター２によって設定を管理する新たな情報端末１１を新規に登録する場合に選択するオブジェクトである。端末ＩＤ選択部１１６ｂは、既に登録されている情報端末１１のいずれかの端末ＩＤを選択するために操作する部分である。登録情報選択部１１６ｃは、新規に或いは既に登録されている端末ＩＤに対応して、情報端末１１に新規等に登録する情報を表示或いは登録するために選択されるオブジェクトである。動作設定選択部１１６ｄは、端末ＩＤ選択部１１６ｂに表示されている端末ＩＤに対応した情報端末１１の動作設定を変更する場合に選択するオブジェクトである。監視選択部１１６ｅは、端末ＩＤ選択部１１６ｂに表示されている端末ＩＤに対応した情報端末１１の監視を行う際に選択するオブジェクトである。
【００８１】
図１３に示すセンター側の端末登録画面１２０は、上部１１６のうちの新規登録選択部１１６ａを選択した場合に表示された画面である。この表示領域１１８に表示されている端末ＩＤ入力領域１２１等には、新規に登録を行う情報端末１１に関する情報が入力され、登録ボタン１２６を押すことによって、センター２における設定管理サーバ５に登録されるようになっている。ここで、図１３に示す端末ＩＤ入力領域１２１に入力された端末ＩＤは、図１０（Ｅ）に示す端末情報テーブル４７ｅの項目の１項目としての端末ＩＤや、図１０（Ｄ）に示す端末ＩＤに該当している。また、図１３のキャンセルボタン１２７が押されると、表示領域１１８に入力された各項目が登録されず破棄される。
【００８２】
次に動作設定選択部１１６ｄを選択すると図１４に示すセンター側の端末設定画面１３０が表示される。この表示領域１１８においては、操作設定、登録設定或いは間隔設定が選択できるようになっている。図１４に示すセンター側の端末設定画面１３０では、操作設定が選択されている。この操作設定では、上述した第１ボタン、第２ボタン、第１発光部、第２発光部及び音出力部に関して有効或いは無効の設定を行うことができる構成となっている。ここでは、一例として音出力部を無効とする画面例となっている。
【００８３】
また、この表示領域１１８には、操作設定更新日時１３５が、例えば２００３年４月２日１０時１５分２０秒と設定される。この操作設定更新日時１３５は、図１に示す設定管理サーバ５のシステム時刻を利用することができる。このように変更された操作設定を登録するには設定ボタン１３２を押し、現状の端末設定を使用するには端末設定使用ボタン１３３を押す。尚、変更した設定を無効とする場合にはキャンセルボタン１３４を押す。
【００８４】
このようにして操作設定が終了し、登録設定を行う場合には、登録設定インデックス１４１を選択する。登録設定インデックス１４１を選択すると、図１５に示す登録設定画面１４０が表示される。この表示領域１１８は、登録設定１４６及び登録設定更新日時１４５並びに設定ボタン１４２、端末設定使用ボタン１４３及びキャンセルボタン１３４が表示されている。登録設定１４６では、上述した電源オン登録或いはログ登録を行うか行わないかを設定することができるようになっている。
【００８５】
一方、登録設定更新日時１４５は、この登録設定が更新された日時が、図１０（Ｅ）に示す登録設定変更日時に対応して表示がなされている。この登録設定を変更する場合には、変更した登録設定１４６を設定した後、設定ボタン１４２を押す。また、現状を変更せずに情報端末１１の現在の設定を使用する場合には、端末設定使用ボタン１４３を押す。尚、入力した情報をキャンセルする場合にはキャンセルボタン１３４を押す。
【００８６】
登録設定が終了した後、間隔設定（タイマー設定）を行う場合には、間隔設定インデックス１５１を選択する。間隔設定インデックス１５１を選択すると、図１６に示す間隔設定画面１５０が表示される。この間隔設定画面１５０が、その表示領域１１８に間隔設定１５６、間隔設定更新日時１５５、設定ボタン１５２、端末設定使用１５３及びキャンセルボタン１５４が表示されている。
【００８７】
間隔設定１５６では、上述したログ間隔及び登録間隔を設定することができるようになっている。間隔設定更新日時１５５は、既に登録されているログ、例えばログ間隔及び登録間隔に関する更新日時が、図１０（Ｅ）に示す間隔設定変更日時に対応して表示される構成になっている。設定ボタン１５２は、間隔設定１５６に入力されたログ間隔等を登録する場合に押されるボタンであり、端末設定使用ボタン１５３は、既に情報端末１１に設定されている設定済みの設定を使用する場合に押されるボタンである。尚、キャンセルボタン１５４は、間隔設定１５６に入力された情報を破棄する場合に押されるボタンである。
【００８８】
このように設定管理サーバ５において情報端末１１の動作が設定されると、図９に示す設定管理サーバ５のデータベース７の各テーブル４７ａ等にそれぞれ設定情報が登録される。
＜設定変更の反映＞
図１２に示すステップＳＴ１では、図２に示す情報端末１１の第１ボタン１１ｊを押し、情報端末１１の電源をオンする。図５に示す情報端末１１の検知部３６は、電源がオンされたことを検知し、送信データ作成部３７に対して指示を行う。尚、検知部３６は、電源がオンされた場合の代わりに、データ通信が発生した場合に検知する構成となっていてもよいことはいうまでもない。検知部３６は、登録設定テーブル３８ｂに設定された動作設定を取得し、例えば電源がオンされた場合やデータ通信が発生した場合に検知する構成となっている。
【００８９】
次に、図１２に示すステップＳＴ２では、情報端末１１が、例えば位置情報と共に、その各設定更新日時をセンター２に対して送信する。具体的には、図５に示す送信データ作成部３７が更新日時取得部３４に対し指示を行う。更新日時取得部３４は、例えば操作設定テーブル３８ａから特定の操作設定に関する設定ＩＤに対応した操作設定変更日時を取得する。尚、更新日時取得部３４は、操作設定テーブル３８ａのみならず、登録設定テーブル３８ｂや間隔設定テーブル３８ｃから更新日時を取得する構成であってもよいことはいうまでもない。
【００９０】
特定の設定ＩＤに該当する設定変更日時を取得した更新日時取得部３４は、取得した特定の設定ＩＤに対応した設定変更日時（更新情報）を送信データ作成部３７に引き渡す。送信データ作成部３７は、更新日時取得部３４からの更新日時に合わせて、例えば測位部３９が測位した位置情報を含め、図７に示すようなフレーム構成の端末送信データ２ｂを作成する。この端末送信データ２ｂは、通信部３１によって図１に示すセンター２側の設定管理サーバ５に対して送信される。
【００９１】
次に図１２のステップＳＴ３では、情報端末１１が送信した端末送信データ２ｂを、図８に示す端末取得部４６の制御により通信部４１が取得する。通信部４１が取得した端末送信データ２ｂは、設定管理部４５に引き渡される。次に図１２に示すステップＳＴ４では、端末送信データ２ｂから位置情報が抜き出され、位置情報テーブル４７ｄに登録される。
【００９２】
設定管理部４５では、受信データ処理部５３が端末送信データ２ｂの処理を行い、端末送信データ２ｂを位置情報及び更新情報に分割する。また、受信データ処理部５３は、位置情報を位置情報処理部５１に引き渡し、更新情報を更新日時比較部５４に引き渡す。位置情報処理部５１に引き渡された位置情報は、位置情報登録部５２によって、端末ＩＤごとに位置情報テーブル４７ｄに登録される。
【００９３】
一方、更新情報比較部５４は、受信データ処理部５３から引き渡された更新情報に該当する端末ＩＤを検索キーとして、端末情報テーブル４７ｅを検索する。端末情報テーブル４７ｅは、図１０（Ｅ）に示すように端末ＩＤごとに各設定ＩＤに対応した設定変更日時が管理されている。更新情報比較部５４は、端末情報テーブル４７ｅにおいて管理されている更新情報と、情報端末１１からの更新情報とを比較する機能を有する。
【００９４】
このように更新情報比較部５４が、例えば情報端末１１から送信された更新情報よりもセンター２側で保持している更新情報が新しいか否かを判断し、古い場合には図１２のステップＳＴ８に進んで処理を終了し、新しい場合にはステップＳＴ９に進む。このステップＳＴ９では、図９の端末動作設定部５６が、該当する端末ＩＤ及び設定ＩＤを検索キーとして、操作設定テーブル４７ａ、登録設定テーブル４７ｂ、間隔設定テール部４７ｃから新しい設定値を取得する。端末動作設定部５６によって取得された新しい設定値は、送信データ作成部５８に引き渡される。
【００９５】
次にステップＳＴ１０では、図９の送信データ作成部５８が、端末動作設定部５６から取得した端末ＩＤ及び設定ＩＤに該当する新しい設定値に基づいて、図１１に示すフレーム例のようなセンター送信データ２ａを作成する。次にステップＳＴ１０では、このように設定管理部４５によって作成されたセンター送信データ２ａを、図１に示すネットワーク７及び基地局８を経由して情報端末１１に対して送信する。
【００９６】
次にステップＳＴ１１では、情報端末１１が、センター２側の設定管理サーバ５が送信した、例えば設定ＩＤごとの新しい設定値（情報端末１１に動作させるべき動作に関する設定情報）及び更新情報を受信する。次にステップＳＴ１２では、情報端末１１が、図５に示す受信データ処理部３２によってセンター送信データ２ａを処理し、センター送信データ２ａに含まれる設定情報を抽出する。
【００９７】
この抽出された設定情報は、例えば設定ＩＤごとに動作設定がされた設定情報を含んでいる。動作設定変更処理部３３は、このような設定ＩＤごとの設定情報を、各テーブル３８ａ等のうちの該当するテーブルに登録を行う。動作設定変更処理部３３は、例えば設定ＩＤごとに設定情報を、操作設定テーブル３８ａ、登録設定テーブル３８ｂ、間隔設定テーブル３８ｃのいずれか又はいずれかの組合せのテーブルに登録するとともに、登録した設定ＩＤに該当する設定更新日時も登録を行う。次にステップＳＴ１３では、情報端末１１が、端末動作制御部３５の制御によって、操作設定テーブル３８ａ、登録設定テーブル３８ｂ及び間隔設定テーブル３８ｃに反映された設定値に従って動作させることができる。
【００９８】
センター２側における端末監視コンピュータ６においては、所定の監視アプリケーションが動作しており、その監視アプリケーションが設定管理サーバ５において管理している情報端末１１の位置について監視を行う。具体的には、設定管理サーバ５は、端末監視コンピュータ６からの指示に基づいて、図９に示す位置情報表示部６１が動作する。
【００９９】
この位置情報表示部６１は、例えば一定時間ごとに情報端末１１の位置が登録されている位置情報テーブル４７ｂから、情報端末１１の位置情報を取得する。そして、この位置情報表示部６１は、図８に示す通信部４１を制御し、取得した情報端末１１の位置情報を、図１に示す端末監視コンピュータ６に対して送信を行う。この監視端末コンピュータ６では、例えば図１７に示すような端末監視画面１６０が表示される。
【０１００】
以下の説明では、この端末監視画面１６０において、図１３に示す端末登録画面１２０と同様の構成や動作については説明を省略する。図１７に示す端末監視画面１６０は、その表示領域１１８ａに、情報端末１１の位置情報の履歴が表示される構成となっている。この表示領域１１８ａには、情報端末１１の時刻ごとの緯度や経度を表わす表示領域１６１や、表示領域１６１に表示された位置情報に基づいて情報端末１１の位置を地図上に表した地図表示領域１６３が表示されている。このような構成とすると、図１に示すセンター２側において、情報端末１１の位置情報を時刻ごとに監視することができる。
【０１０１】
本発明の好ましい実施形態によれば、センター２側において情報端末１１に動作させるべき設定情報に従って情報端末１１を動作させることができるばかりでなく、設定管理サーバ５が、上端末１１の動作設定を変更する際に、情報端末１１に設定させるべき設定情報を全て送信しなくてもよい場合があることから、その分の情報通信量を抑制しつつ動作設定を更新すべき情報端末１１の動作に関する設定情報を自動的に変更することができる。また、この設定管理サーバ５は、情報端末１１の動作に関する全ての設定を変更する場合のみならず、情報端末１１の一部の動作設定を部分的に変更することもできるようになる。
【０１０２】
＜応用例＞
本発明の実施形態は、以下に示すような形態に適用することができる。
図１８は、本発明の好ましい実施形態としての設定管理システム１を応用したタクシー配車管理システム１０１の構成例を示すシステム構成図である。尚、図１８に示すタクシー配車管理システム１０１においては、基地局やネットワークの図示を省略している。
本発明の好ましい実施形態の変形例としてのタクシー配車管理システム１０１では、上述した図１〜図１７において同一の符号を付した箇所はほぼ同じ構成であるから、同一の構成は図１〜図１７と共通の符号を用いてその説明を省略し、以下異なる点を中心として説明する。
【０１０３】
図１８に示すタクシー配車管理システム１０１では、例えば３台の情報端末１１（１１１ａ，１１１ｂ，１１１ｃ）がそれぞれタクシーＴＸ１，ＴＸ２，ＴＸ３に搭載されている点及び、図１における端末監視コンピュータ６の代わりに、端末監視コンピュータ６の機能に加えてタクシーＴＸ１等を配車する機能を有するタクシー配車管理システム１０１が設けられている点が異なっている。また、タクシー配車管理システム１０１には、設定管理コンピュータ６ａが設けられている点も異なっている。この設定管理コンピュータ６ａは、各情報端末１１（１１１ａ，１１１ｂ，１１１ｃ）の設定を変更するためのコンピュータである。
【０１０４】
このタクシー配車管理システム１０１は、情報端末１１１ａを搭載するタクシーＴＸ１等の配車を管理するタクシー配車センター２により運用されているシステムである。このタクシー配車センター２では、サーバ５によって各タクシーＴＸ１等に搭載された情報端末１１１ａの位置や、情報端末１１１ａの動作に関する設定情報が管理されている。
【０１０５】
タクシー配車管理システム１０１では、タクシーＴＸ１等の配車を管理するためのタクシー配車管理アプリケーションが動作している。このサーバ５では、図９のデータベース４７において、図１０（Ｅ）に示す端末情報テーブル４７ｅの代わりに、図１９（Ｅ）に示す端末情報テーブル４７ｆが管理されている。尚、データベース４７におけるその他のテーブル構成等については、上記実施形態と同様である。
【０１０６】
図１９（Ｅ）に示す端末情報テーブル４７ｆは、図１０（Ｅ）に示す端末情報テーブル４７ｅに、項目として、例えば運転手名、電話番号、タクシーナンバー、乗車可能人数及びカテゴリーが新たに設けられている点が異なっている。従って、データベース４７では、上述した情報端末１１１ａ等の動作に関する設定情報のみならず、この情報端末１１１ａ等が搭載されたタクシー等の移動体に関する運転手名等についても管理することができる構成となっている。
【０１０７】
図２０は、図１９に示す各テーブルにおいて管理されているデータの一例を示す図である。
図２０（Ａ）〜図２０（Ｅ）に示す各テーブルに格納されたデータは、同一の情報端末１１において設定されているデータが縦方向に表されている。具体的には、例えば図２０（Ａ）に示す操作設定テーブル４７ａでは、例えば３種類のタクシーに搭載される情報端末１１の操作が設定されている。各タクシーは、例えば通常の距離を運行するタクシー、長距離を運行するタクシー、観光用のタクシーの３種類のタクシーについての情報端末１１の設定がなされるようになっている。
【０１０８】
これは、図２０（Ｂ）や図２０（Ｃ）に示す各テーブルにおいても同様に、３種類登録されている。また、図２０（Ｄ）に示す位置情報テーブル４７ｄにおいては、端末ＩＤが「ＡＢＣ００１」に該当する情報端末の位置情報が登録されている。図２０（Ｅ）に示す端末情報テーブル４７ｆでは、例えば「初期」、「突発的な観光タクシー」、「設定を変更しない場合」について設定されたデータを示している。
【０１０９】
図２１は、各タクシーＴＸ１等に搭載された情報端末１１１ａ等において変更された設定の一例を示す図である。尚、図２１の左側において表されている項目は、図１９（Ａ）、図１９（Ｂ）、図１９（Ｃ）に示す各設定項目を表している。
図２１に示す設定例では、初期使用の段階で使用される初期設定８１、突発的な観光タクシーについての設定８２、設定を変更しない場合の設定８３が、それぞれの右側に示されたような設定に変更されるようになっている。
【０１１０】
ここで、突発的なタクシーは、図２０や図２１の例において、例えば今まで通常で運用していたタクシーが突発的に観光タクシーの業務に回されたことを想定している。このように観光タクシーに変更するための設定をするためには、まず、例えば設定変更する対象に該当する設定ＩＤの一例としての「ＡＢＣ００１」に対応する設定情報を、例えば図２０（Ｂ）に示す登録設定テーブル４７ｂ及び図２０（Ｃ）に示す間隔設定テーブル４７ｃにおいて設定変更する。さらに、このように観光タクシーに変更するための設定をするためには、図２０（Ａ）に示す端末情報テーブル４７ａに、上記設定ＩＤの一例としての「ＡＢＣ００１」が登録される。この端末情報テーブル４７ａにおいて変更された設定は、以下に示すように情報端末１１との通信において反映される。
【０１１１】
初期設定８１、設定８２、設定８３の右側にそれぞれ示された各設定は、それぞれ図１８のタクシー配車管理センター２から送信されたセンター送信データ２ａに含まれる設定が反映された各設定である。このように設定を変更するためには、情報端末１１からは、例えば図２２に示すような端末送信データ２ｂを送信する必要がある。この端末送信データ２ｂにおいては、図２１に示す設定例に対応した、図２２に示す例えば３種類の送信データが含められて送信される。一方、図２２に示すような端末送信データ２ｂを受信したサーバ５では、例えば図２３に示すようなセンター送信データ２ａを作成して情報端末１１に対して送信を行う。ここで、図２３に示すようにセンター送信データ２ａは、設定を変更しない場合には、例えばこれに該当するデータが送信されない構成とするのが望ましい。
【０１１２】
図２４は、図１８に示すタクシー配車管理システム１０１の動作例を示すフローチャートである。
まず、ステップＳＴ１０１では、図１８に示すタクシー配車管理システム１０１にログインを行う。次にステップＳＴ１０２では、図２５に示す新規タクシー登録画面において、カテゴリーの登録を行う。
【０１１３】
次にステップＳＴ１０３では、図２６に示すタクシー登録画面において、各タクシーに関するタクシー情報を入力し、このタクシー情報の登録を行う。このようにして登録されたタクシー情報は、図２０（Ｅ）に示す端末ＩＤごとに各運転手名等が登録されるようになっている。次に図２４のステップＳＴ１０４では、図２７に示す登録情報画面において、動作設定する運転手を選択する。次にステップＳＴ１０５では、図２７〜図２９に示す設定変更画面において、上述のように設定する動作設定を選択し、ステップＳＴ１０６では、それぞれの動作設定の変更を行う。具体的には、操作設定を変更する場合には図２７に示す操作設定を選択し、登録設定を変更する場合には図２８に示すように変更し、間隔設定を行う場合には図２９に示すように変更を行う。
【０１１４】
次にステップＳＴ１０７では、どのボタンが押されたかを判断する。設定ボタンが押された場合には、ステップＳＴ１０８に進み、カテゴリー設定使用ボタンが押された場合にはステップＳＴ１１１に進み、端末設定使用ボタンが押された場合にはステップＳＴ１１３に進む。次にステップＳＴ１０８では、上述したように端末ＩＤを設定ＩＤとし、設定値を端末動作設定テーブル４７ｆに保存を行う。
【０１１５】
次にステップＳＴ１０９では、図１９（Ａ）の端末情報テーブル４７ｆに設定ＩＤが保存される。次のステップＳＴ１１０では、変更した更新情報をその設定更新日付とし、端末情報テーブル４７ｆに登録を行う。一方、ステップＳＴ１１１においては、端末情報テーブル４７ｆにカテゴリーの設定ＩＤを保存する。次にステップＳＴ１１２では、変更した更新情報をその設定の設定更新日時とし、端末情報テーブル４７ｆに保存を行う。
【０１１６】
また、ステップＳＴ１１３では、例えば１９７０年１月１日００時００分００秒をその設定の設定更新日時とし、端末情報テーブル４７ｆに保存を行う。以上のようにして処理が終了する（ステップＳＴ１１４）。このようにして保存された更新日付等の情報は、図３０に示すように、登録情報画面において確認することができる。また、このように登録されたタクシー情報によれば、図３１に示すように全車表示画面において、登録されている全てのタクシーについて位置を表示することができる。また、このように登録されたタクシーの位置情報に基づいて、図３２に示す履歴画面のように、ある特定のタクシーに関してその位置の履歴情報を表示することも可能である。
【０１１７】
本発明は、上記実施の形態に限定される、特許請求の範囲を逸脱しない範囲で種々の変更を行うことができる。例えば上記実施形態の各構成は、その一部を省略したり、上記とは異なるように任意に組み合わせることができる。
また、上記実施形態における情報端末１１は、例えばその測位方式として単独測位を例示することができる。また、この情報端末１１は、このような単独測位に限定されず、例えば相対測位（ディファレンシャル測位方式）を採用してもよいことはいうまでもない。
【０１１８】
設定管理サーバ５の設定管理機能を発揮させるプログラム９９及び情報端末１１の動作設定機能を発揮させるプログラム９９ａは、それぞれ上述のようにコンピュータ等の電子機器にインストールされて動作している形態のみならず、例えばフレキシブルディスク、ＣＤ（Ｃｏｍｐａｃｔ  Ｄｉｓｃ：商標名）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔｅｒｂｌｅ）又はＤＶＤ（Ｄｉｇｉｔａｌ  Ｖｅｒｓａｔｉｌｅ  Ｄｉｓｃ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）、ＤＶＤ−ＲＡＭ（ＤｉｇｉｔａｌＶｅｒｓａｔｉｌｅ  Ｄｉｓｃ−Ｒａｎｄｏｍ  Ａｃｃｅｓｓ  Ｍｅｍｏｒｙ）等の情報記録媒体に格納されて流通されている形態でも良い。
【０１１９】
また、上記機能を発揮させるプログラム９９，９９ａは、それぞれ上記情報記録媒体に格納されている形態のみならず、無線又は有線によってデータ通信を行うネットワーク等の伝送媒体を経由してユーザのコンピュータ等の電子機器にダウンロードされる形態であっても良いことはいうまでもない。さらに、上記機能を発揮させるプログラム９９，９９ａは、それぞれ要求に応じて、アプリケーションソフトウェアを一定期間に渡って貸し出しを行うＡＳＰ（Ａｐｌｉｃａｔｉｏｎ  Ｓｅｒｖｉｃｅ  Ｐｒｏｖｉｄｅｒ）からダウンロードされて実行される形態であっても良いことはいうまでもない。
【図面の簡単な説明】
【図１】設定管理システムの構成例を示すシステム構成図。
【図２】図１に示す情報端末の外観の一例を示す構成図。
【図３】図１に示す情報端末のハードウェア構成例を示すブロック図。
【図４】設定管理サーバのハードウェア構成例を示すブロック図。
【図５】図１に示す情報端末のソフトウェア構成例を示すブロック図。
【図６】図５に示す各テーブルの構成例を示す図。
【図７】図１に示す端末送信データのフレーム構成例を示す図。
【図８】設定管理サーバのソフトウェア構成例を示すブロック図。
【図９】設定管理部及びデータベース等の構成例を示すブロック図。
【図１０】図９に示すデータベースの各テーブルの構成例を示す図。
【図１１】図１に示すセンター送信データのフレーム構成例を示す図。
【図１２】図１に示す設定管理システムの動作例を示すフローチャート。
【図１３】図１に示す設定管理サーバにおける表示例を示す図。
【図１４】図１に示す設定管理サーバにおける表示例を示す図。
【図１５】図１に示す設定管理サーバにおける表示例を示す図。
【図１６】図１に示す設定管理サーバにおける表示例を示す図。
【図１７】図１に示す設定管理サーバにおける表示例を示す図。
【図１８】タクシー配車管理システムのシステム構成例を示す図。
【図１９】各テーブルのデータ構成例を示す図。
【図２０】図１９に示す各テーブルのデータ例を示す図。
【図２１】情報端末の設定例を示す図。
【図２２】図１８に示す端末送信データのフレーム構成例を示す図。
【図２３】図１８に示すセンター更新データのフレーム構成を示す図。
【図２４】タクシー配車管理システムの動作例を示すフローチャート。
【図２５】タクシー配車管理システムの表示画面例を示す図。
【図２６】タクシー配車管理システムの表示画面例を示す図。
【図２７】タクシー配車管理システムの表示画面例を示す図。
【図２８】タクシー配車管理システムの表示画面例を示す図。
【図２９】タクシー配車管理システムの表示画面例を示す図。
【図３０】タクシー配車管理システムの表示画面例を示す図。
【図３１】タクシー配車管理システムの表示画面例を示す図。
【図３２】タクシー配車管理システムの表示画面例を示す図。
【符号の説明】
１・・・設定管理システム、２ａ・・・センター送信データ、２ｂ・・・端末送信データ、５・・・設定管理サーバ、１１，１１１ａ，１１１ｂ，１１１ｃ・・・情報端末、３１・・・通信部（動作設定受信手段）、３２・・・受信データ処理部（動作設定受信手段）、３４・・・更新日時取得部（更新情報発信手段）、３５・・・端末動作制御部（制御手段）、３７・・・送信データ作成部（更新情報発信手段）、３８ａ・・・操作設定テーブル（設定情報管理手段）、３８ｂ・・・登録設定テーブル（設定情報管理手段）、３８ｃ・・・間隔設定テーブル（設定情報管理手段）、４１・・・通信部（更新情報受信手段）、４５・・・設定管理部（設定情報送信手段）、４７・・・データベース（動作設定管理手段）、５４・・・更新情報比較部（設定情報送信手段）、５６・・・端末動作設定部（設定情報送信手段）、５８・・・送信データ作成部（設定情報送信手段）
【図１】
2005018134.tif 000003
【図２】
2005018134.tif 000004
【図３】
2005018134.tif 000005
【図４】
2005018134.tif 000006
【図５】
2005018134.tif 000007
【図６】
2005018134.tif 000008
【図７】
2005018134.tif 000009
【図８】
2005018134.tif 000010
【図９】
2005018134.tif 000011
【図１０】
2005018134.tif 000012
【図１１】
2005018134.tif 000013
【図１２】
2005018134.tif 000014
【図１３】
2005018134.tif 000015
【図１４】
2005018134.tif 000016
【図１５】
2005018134.tif 000017
【図１６】
2005018134.tif 000018
【図１７】
2005018134.tif 000019
【図１８】
2005018134.tif 000020
【図１９】
2005018134.tif 000021
【図２０】
2005018134.tif 000022
【図２１】
2005018134.tif 000023
【図２２】
2005018134.tif 000024
【図２３】
2005018134.tif 000025
【図２４】
2005018134.tif 000026
【図２５】
2005018134.tif 000027
【図２６】
2005018134.tif 000028
【図２７】
2005018134.tif 000029
【図２８】
2005018134.tif 000030
【図２９】
2005018134.tif 000031
【図３０】
2005018134.tif 000032
【図３１】
2005018134.tif 000033
【図３２】
2005018134.tif 000034